(57)【要約】      （修正有）【課題】カラオケの遊興施設内において、顧客グループ内同士がマイクロフォンを輪番で使用する際、インフルエンザや新型コロナウィルスの感染によって施設内クラスター感染が発生することを予防し、カラオケ使用時の装脱着が簡便で抗菌特性に優れたマイクロフォンカバーを提供する。【解決手段】マイクロフォンの集音部及びハンドル部を被覆する一体型のマイクロフォンカバーであって、集音部とハンドル部の生地構成部分の平面形状がそれぞれ、略円形状および略長方形形状である同一形状の４パーツからなるセパレート生地を用いてそれぞれ縫製部４、６で縫製され、集音部の縫製体開放部とハンドル部の縫製体開放上部とが縫製部５で縫製される。また、銅イオンを含む水溶液にマイクロフォンカバー完成品を浸漬し、所望の抗菌特性を与える。【選択図】図２
0003230745.tif 000002
【実用新案登録請求の範囲】
【請求項１】
マイクロフォンの集音部及びハンドル部を被覆する一体型のマイクロフォンカバーであって、該マイクロフォンカバーは、集音部とハンドル部の生地構成部分がそれぞれ、同一形状の４パーツのセパレート生地で縫製されカバー全体が一体構成されることを特徴とするマイクロフォンカバー。
【請求項２】
マイクロフォンカバーの集音部の縫製部の少なくとも一部及び／又はハンドル部の縫製部の少なくとも一部にカラーステッチを設けたことを特徴とする請求項１に記載のマイクロフォンカバー。
【請求項３】
マイクロフォンカバーハンドル部の下方開放部において、当該開放部円周囲を波状に縫製し、カラーステッチを設けたことを特徴とする請求項１乃至２に記載のマイクロフォンカバー。
【請求項４】
マイクロフォンカバーの集音部とハンドル部の生地パーツの縫製用の糸が伸縮性で構成されることを特徴とする請求項１乃至３に記載のマイクロフォンカバー。
【請求項５】
マイクロフォンカバーの生地として、銅イオンを利用した加工処理を施したことを特徴とする請求項１乃至４に記載のマイクロフォンカバー。
【考案の詳細な説明】
【技術分野】
【０００１】
本考案は、衛生的な機材使用を追求したマイクロフォンカバーである。さらに詳細には、堅牢性が高い抗菌機能を付加し、使用面においても装脱着のし易さを追求したマイクロフォンカバーに関するものである。
【背景技術】
【０００２】
従来から、マイクロフォンは不特定多数が使用する機材であり、機材特性上、菌や黴の発生・増殖および湿気等による不快臭等で不潔となり、衛生上のトラブルも発生しやすいことから、その機材メンテナンスには様々な工夫がされてきた。
その傍らで利用するマイク部分を保護するカバー等の考案についても同様である。
特に昨今のパンデミック発生によるコロナ禍にあっては、公衆衛生の全体的な措置はもとより、プライベートな水準での予防的措置が急務である。
【０００３】
これまでに、マイクロフォン機材自体の手軽な措置としては、特に不潔になる部位、すなわち集音部に抗菌消臭スプレーを噴霧することが行われてきた。
しかしながら、この方法によれば、繰り返し噴霧することで、マイクセンサーの機能劣化や破損による支障で機材メンテナンス上の問題があったことに加え、コロナ禍のメンテナンスにおいては、その噴霧頻度が加速され、より深刻な作業負担が問題になってきている。
【０００４】
マイクロフォン機材は、イベントや音楽ライブでの使用が多く、遊興ではカラオケ店での使用が多いが、コロナ禍による影響で営業自粛を迫られ、経済活動も制約される中でのメンテナンスの負荷増大及び設備維持と入替といった未曾有の危機に瀕していることから、公衆衛生対策と経済活動両立のためのツール開発が待たれている。
【０００５】
このような状況に鑑み、考案者らは小規模店舗でのマイクロフォン機材の使用をする事業者向けのマイクロフォンカバーを考案することを検討し、本考案を完成するに至った。
【０００６】
コロナ禍の影響に関係なく、これまでにも衛生的な観点から様々なマイクロフォンのカバーが知られている。
例えば、引用文献１には、生地としてポリウレタンフォームまたは不織布で構成されるカラオケ用に適したマイクカバーが開示されており、当該マイクカバーには特定量の抗菌防臭剤及び／又は芳香物質の添加がなされた技術が提供されたものである。
【０００７】
しかしながら、使用形態は、同じマイクを継続的に一回の顧客グループの中での繰り返し使用での遊興に資する範囲にとどまるものであり、カバー自体を取り外し、さらには洗濯して再利用する観点がなく、パーソナルケアという観点が全くない。
従って、コロナ禍にみるような感染に伴うクラスター発生の予防ツールとしての効果は期待できず、全く不十分である。
【０００８】
引用文献２は、ハンドマイクへの塵埃や唾液などの付着を防止し、ハンドマイクを何時でも衛生的に使用可能とするハンドマイク用カバーを提供するものであるが、集音部の被覆による通音性にも配慮した技術を提供するものである。マイク保護カバーの素材は、適度なフィルター性を有する柔軟材質により、ハンドマイク先端の集音部乃至略ハンドマイク全体を被覆し得る大きさに形成して構成されている。
【０００９】
しかしながら、引用文献１に係る技術的思想と同じく、抗菌加工の処理も包含する技術ではあるものの、カバー自体の交換は使い捨てでコスト高あり、顧客の使いまわしによる使用が前提の考案を開示するに過ぎない。また、使い捨ての後、廃棄物としてのゴミ処理についての配慮に欠け、昨今の環境対策の上においても好ましくない。
また、日を置いての他の顧客グループでの使用も許容されることを想定されているところ、パーソナルケア乃至コロナ禍におけるクラスター予防措置としては到底使用に耐え得るものではない。
【００１０】
引用文献３は、カラオケ等のマイクロフォンの不潔な状態を一掃し、衛生的かつ清潔な状態でマイクロフォンを使用できるようにすることを目的とし、マイクロフォン本体部と支持部とからなるマイクロフォンにおいて、少なくとも該マイクロフォン本体部を被覆しかつ着脱自在に取りつけられるカバー部材を消臭及び／又は抗菌防臭及び／又は防カビ及び／又は 殺菌機能を有する素材で形成する技術を構成するものである。
【００１１】
マイクロフォン本体部を被覆しかつ着脱自在に取りつけられる機能特性を有することから、顧客間同士での固有のカバー交換を容易にすることを示唆する部分を含むことから、先の引用文献１乃至２に比して、進歩した要素を包含するともいえる。また、生地や抗菌処置にも工夫が施されている点で一定の評価はできる。具体的には、カバー生地自体に消臭・抗菌防臭・防カビ機能を有する素材を採用し、超極細銅繊維も好適素材として採用している。
【００１２】
しかしながら、引用文献３で予定する技術思想においては、グループでの遊興時に装脱着するカバーの形状が容易に交換できるものではなく、短時間のカバー交換を配慮したものではない。
また、交換時においては、ハンドル部下方開放部の形状に対して集音部の形状に対して大きいことから、挿入がしづらいという欠陥があるほか、伸縮性能の考慮に乏しい。その結果、交換をしないままマイクの使いまわす結果となり、感染の連鎖という観点からは好ましくなく、パーソナルケア上未解決のままである。
さらに、引用文献３に係る抗菌処置において、銅繊維素材の提供を許容しているが、この銅繊維素材を生地に組み込んだ場合の結果として、生地の伸縮性が著しく損なわれる結果、上記カバーの交換に支障をきたすため、カバーの有する抗菌・抗ウィルスの実効性が発揮できないのが当該引用文献３の技術上の問題であるということができる。
加えて、洗濯してのリーピト活用という着想がない点も積極的な課題解決が残されたままである。
【００１３】
引用文献４の目的は、マイクロフォンの落下等による破損を防止することができるとともに、カラオケや宴会などの娯楽の場で楽しく使用することができるマイクカバーを提供しようとするものである。その解決手段として、マイクロフォンの集音部を被覆する集音部 被覆部材と、ハンドル部を被覆するハンドル部被覆部材の二部材からなり、これら二部材が係脱可能に一体化されており、ハンドル部分を被覆する部分の外面に転がり防止用の突起が設けられ、全体が動物や人物、或いはキャラクターデザインを模して形成されている発明構成をとるものである。
【００１４】
この技術思想から明らかなように、引用文献４の主題は、カラオケや宴会などの娯楽の場で使用するマイクロフォンによる雰囲気演出であり、コロナ禍において問題となっている感染予防の観点はない。
【００１５】
そこで出願人は、以上の問題点に鑑み、鋭意、クラスター感染予防対策と遊興を両立できるマイクロフォンカバーの仕様を追求し、検討した。
その結果、特に、堅牢性が高い抗菌機能を付加でき、使用面においても装脱着のし易い形態のマイクロフォンカバーを開発するに至り、本考案を完成した。
【先行技術文献】
【特許文献】
【００１６】
【特許文献１】実開平４−５５８９６号公報
【特許文献２】登録実用新案第３０１７５２２号公報
【特許文献３】特開平７−１１６９０号公報
【特許文献４】特開２００１−４５５８７号公報
【考案の概要】
【考案が解決しようとする課題】
【００１７】
本考案は、上記の問題点に鑑みて提案されたものであって、特にカラオケの遊興施設内において、顧客グループ内同志がマイクを輪番で使用する際、インフルエンザや新型コロナウィルスの感染によって施設内クラスター感染が発生することを予防するために考案されたカラオケ使用時用のマイクロフォンカバーを提供することを目的とするものである。
【課題を解決するための手段】
【００１８】
上記課題解決のため、種々検討した結果、マイクロフォンの集音部とハンドル部を被覆する生地がそれぞれ、同一形状の４パーツのセパレート生地を縫製することによって形成されるマイクロフォンの集音部及びハンドル部一体型のカバーの特定の構成が上記の目的を達成することを見出し、所望の効果を発揮できる本考案を完成するに至った。
【００１９】
すなわち、本考案の請求項１によれば、マイクロフォンの集音部及びハンドル部を被覆する一体型のマイクロフォンカバーであって、該マイクロフォンカバーは、集音部とハンドル部の生地構成部分がそれぞれ、同一形状の４パーツのセパレート生地で縫製されカバー全体が一体構成されることを特徴とするマイクロフォンカバーが提供される。  
【００２０】
ここで、上記本考案のマイクロフォンカバーを縫製する場合に、カバーの集音部とハンドル部を同一形状の４パーツのセパレート生地で構成することに関しては合理的な理由がある。
すなわち、第一にカラーステッチを形成しやすくするためである。当該カラーステッチは、顧客ごとにカバーを提供して装脱着する際に、他人のカバーと取り違えないように識別するためのものであるが、縫製糸の色を変えることでマイカバーであることが識別できるという利便性を提供し得るものである。
【００２１】
ここで、カラーステッチは、集音部同士の縦ライン、集音部とハンドル部の横ライン、ハンドル部同士の縦ライン及びハンドル部下方開放部円周囲部に形成することができ、その部位の採択は任意であるが、生地色との組みあわせを考えると、カバーのカラーバリエーションは広がるため、通常の顧客グループ数に対応する識別カバーは簡便に管理できる。
【００２２】
また、ステッチには刺繍種によって様々なバリエーションが加わり、例えば、代表例としてストレートステッチ、フライステッチ、ボタンホールステッチ、フレンチノットステッチ、バックステッチ、アウトラインステッチ、サテンステッチ、ヘリンボーンステッチ、コーチングステッチ、バリオンローズステッチ、フィッシュボーンステッチ、チェーンステッチ、ブランケットステッチ、ロングアンドショートステッチ、クロスステッチ、ダブルクロスステッチ、フェザーステッチ、リーフステッチ、ランニングステッチ、シェブロンステッチ、レゼーデージーステッチ及びダブルレゼーデージーステッチ等があげられ、これらのいずれもが前記の色彩の変化と組合せて採用できるが、カバー識別用として採用する場合には、縫製後の縫合が目立ちやすいものを採択するのが好ましい。
【００２３】
すなわち、本考案の請求項２によれば、マイクロフォンカバーの集音部の縫製部の少なくとも一部及び／又はハンドル部の縫製部の少なくとも一部にカラーステッチを設けたことを特徴とするマイクロフォンカバーが提供されるものである。
【００２４】
上記本考案の請求項１において、マイクロフォンカバーを縫製する場合に、カバーの集音部とハンドル部を同一形状の４パーツのセパレート生地で構成することに関しての第二の合理的な理由は、採用生地の伸縮性機能の相加効果乃至相乗効果の発揮のためである。
【００２５】
すなわち、本考案において採用する生地種は特に制約はされないが、本考案の好ましい素材としては、カバー装脱着の簡便性を向上する伸縮機能性を保持した繊維素材である。好適にはポリエステルとポリウレタンの混合繊維素材であるが、縫製前の縦横の伸縮性素材として適した例としては、ポリエステル組成５に対しポリウレタン組成１の組あわせが良いが、後述するように、本考案においては、ステッチの種類や縫製糸の選択との関係でそれらとの適合性が良ければ任意である。
【００２６】
また大変興味深いことに、当該カバー生地を、本考案による４パーツの縫製を採用することで全体のカバーを構成した場合、縦横の伸縮性能のみならず、斜め方向にも伸縮性が付加され、マイクの装脱着時の自由度は向上する。つまり、縫製前に有する特定素材の組成比率由来の伸縮性能が、本考案の縫製によって本来の素材機能を凌駕する好結果を生み出し、カバー装脱着時の操作性向上をもたらすのである。
【００２７】
また、カバーの装脱着時の操作性を向上させる別の特性要因として素材の有する摩擦係数があげられる。特に集音部にカバーを被せる場合に、伸縮自在性以外に集音部の金属表面との滑り摩擦性は低い方が抵抗なく操作することができるからである。この点を加味すると、ポリエステルが最適であるが、一般には伸縮性に劣ることから、上記ポリウレタンとの混合繊維が好ましい。
【００２８】
さらに、ここで注意すべき点として、本考案のマイクロフォンカバーは、抗菌力の保持のために銅イオンによる抗菌処理の他に銅繊維素材の採択併用する態様を包含するところ、当該抗菌性を有する銅繊維素材自体は、伸縮性を減じる作用を有することが挙げられ、操作性向上の更なる工夫が必要である点である。
【００２９】
このために本考案で創作されたのが、ステッチ刺繍用の縫製糸に伸縮性の糸を採用することである。当該伸縮性の糸の採用によって、操作性の障害は発生しないことから所望の装脱着自在のマイクロフォンカバーの提供が達成できるものである。
ここで、本考案における伸縮性の糸とは、糸素材自体の伸縮機能性を有する縫製糸を意味するものであり、好適なものとしては、例えばナイロン１００％組成の糸（ウーリーロックミシン糸；株式会社フジックス社製）等が挙げられるが、公知の縫製糸で構成されるものが任意に使用できる。
【００３０】
さらなる操作性向上の考案として、マイクロフォンカバーハンドル部の下方開放部において、波状のステッチを設けたことがあげられる。波状のステッチ縫製をし易くすること及び装脱着を容易にできるように、ハンドルグリップ部全体の略円柱状の横幅より、広めの裁断がされた生地パーツを使用することが好ましい。この縫製措置によって、マイク集音部上方から本考案の装着が特に容易になることから、カラオケの輪番時のカバー交換の煩わしさから解放されるものである。なお、ステッチは、カラー糸選択での縫製も当然任意である。
【００３１】
すなわち、本考案の請求項３によれば、マイクロフォンカバーハンドル部の下方開放部において、当該開放部円周囲を波状に縫製し、カラーステッチを設けたことを特徴とするマイクロフォンカバーが提供され、請求項４によれば、マイクロフォンカバーの集音部とハンドル部の生地パーツの縫製用の糸が伸縮性で構成されることを特徴とするマイクロフォンカバーが提供される。
ハンドル部の生地形状としては上記の通り、下方開放部の波状の縫製にあるが、中央グリップ全体形状はや幅は特段の制約はない。
【００３２】
上記の本考案に係る請求項１乃至４は、特にこれまでにないマイクロフォンカバーの装脱着の操作向上性のために考案されたものであるが、本考案のもう一つの目的として、抗菌力の機能保持が挙げられる。
この点、本考案者らは、これまでに提供されたことがない衛生的な使用、特にクリーニングによるリピート使用ができるマイクロフォンカバーの提供に着目した開発を継続し完成に至ったものである。
【００３３】
すなわち、本考案の請求項５によれば、マイクロフォンカバーの生地として、銅イオンを利用した加工処理を施したことを特徴とするマイクロフォンカバーが提供されるものである。
【００３４】
これまでの着想として、薬剤の適時噴霧または浸漬による予防措置は見受けられたが、洗濯再利用という着想はされなかった。というのは、洗濯を繰り返すことによって、抗菌力の保持が薬剤の流失によって期待できないからである。従って、抗菌繊維の生地練り込みによるものがせいぜいであり、堅牢性の良い抗菌薬剤等の加工処理の提供が課題とされていたものである。
【００３５】
本考案によれば、これらの課題解決に適した抗菌処理の方法が提供されるものである。本考案における銅イオンの利活用による処理技術は、繊維生地に銅繊維を縫製するほか、銅イオンを含む液剤に浸漬し繊維に吸着固定することを意味する。具体的には、銅イオン水溶液（二価のCuイオン）を含む処理液の浸漬によって、本考案で使用する生地繊維にイオン結合させる。当該銅イオン水溶液は例えば、株式菓子やエフ・エル・アイ社製の「iotech-Cu」（商品名）が好ましい。
当該「iotech-Cu」は、特許製品（特許第５３６８１７０号）であり、その処理溶液は例えば、次のようにして製造し提供されているものである。
【００３６】
抗菌性を備える金属原料として、代表的な銅を微細化したものを使用し、当該銅原料の重量に対して８〜１５倍量の浄化水を加えて煮沸し、つぎにこれを一定温度に保持するとともに、銅原料と浄化水の混合物に対して１０〜３０重量％のアスペルギルス属の麹菌と糖質を、醗酵状態を観察しながら複数回に分けて加えることにより一次醗酵させ、この一次発酵金属混合物に、当該一次発酵銅処理混合物に対して１０〜２０重量％のストレプトコックス属またはラクトバチルス属の乳酸菌、及び／又は、酢酸菌と、糖質を、醗酵状態を観察しながら複数回に分けて加えて所定温度に保持することにより二次醗酵させる。次いで二次発酵金属混合物を３５℃〜４０℃で熟成することにより有機酸中に金属を解離し、さらにこれを濾過抽出することによって抗菌性イオン化銅組成物が生成される。
【００３７】
前記抗菌性イオン化銅組成物中の銅イオンは、繊維に対する浸透性が良いことから、浸透後は繊維構成成分とイオン結合する。イオン結合した銅は洗濯しても容易に離れることなく吸着固定されるため、抗菌機能が維持される。この処理に加えて、生地に銅繊維素材を使用すると、更なる効果が発揮されるものとなる。
考案者の実験によれば、繰り返し１０回までの洗濯によって、抗菌性維持の結果を確認できており、その後の継続使用にも安定的な抗菌特性が期待されるところであり、本考案の抗菌処理によれば、極めて堅牢性が高いマイクロフォンカバーを提供できるものである。
【考案の効果】
【００３８】
本考案によれば、衛生的な機材使用を追求したマイクロフォンカバーが提供され、詳細には、堅牢性が高い抗菌機能が付加され、使用面においては装脱着のし易いマイクロフォンカバーが提供されるものである。
さらに詳細には、例えば、特にカラオケの遊興施設内において、顧客グループ内同志がマイクを輪番で使用する際、インフルエンザや新型コロナウィルスの感染によって施設内クラスター感染が発生することを予防するために考案されたカラオケ使用時用のマイクロフォンカバーが提供されるものである。
【００３９】
本考案は、マイクロフォンの集音部及びハンドル部を被覆する一体型のマイクロフォンカバーであって、該マイクロフォンカバーは、集音部とハンドル部の生地がそれぞれ、同一形状の４パーツのセパレート生地で縫製されカバー全体が構成されることを特徴とし、この特徴的な構造が、他人との識別マークの役割を担うカラーステッチの採用や、伸縮性能の向上によるマイクロフォンへのカバーの装脱着容易性の効果を生み出すものである。
【００４０】
さらに、本考案による銅イオン処理による抗菌効果は、繊維への吸着固定効果を発揮し得る薬液の浸漬によって堅牢性あるものであり、本考案によれば、経済的かつ環境対策にも適応するマイクロフォンカバーの提供を実現できるものである。
【図面の簡単な説明】
【００４１】
【図１】本考案のマイクロフォンカバーの縫製前の基本パーツの原形を示す正面図である。
【図２】本考案のマイクロフォンカバー（縫製後）の一例を示す正面図である。
【図３】本考案のマイクロフォンカバーの平面図である。
【考案を実施するための形態】
【００４２】
本考案は、衛生的な機材使用を追求したマイクロフォンカバーであって、堅牢性が高い抗菌機能が付加され、使用面においても装脱着のし易さを追求したマイクロフォンカバーである。
【００４３】
図1は、前記当該本考案のカラオケ用のマイクロフォンカバーの基本構成を示したものである。
すなわち、本考案は、図１記載のマイクロフォンカバーの集音部の４分割パーツ（図１の１）と同じくハンドル部の4分割パーツ（図１の２）を４パーツ縫製し、全体を構成する。図1の３は、マイクロフォンカバーのハンドル部下方の開放部であり、この部分をマイクロフォン機材に対して装脱着する。
【００４４】
４分割のパーツを縫製した後のマイクロフォンカバーの平面図は図２に示したとおりである。図２において、付番４は、マイクロフォンカバーの集音部における縫製部を示したものであり、付番５は、マイクロフォンカバーの集音部とハンドル部の縫製部（ステッチ）を、付番６はマイクロフォンカバーのハンドル部における縫製部（ステッチ）をそれぞれ示したものであるが、これらいずれの部分もステッチはカラー糸、刺繍種も上述したタイプを任意に選択し得る。生地自体に伸縮性を有する素材を選択することも任意であるが、刺繍糸も伸縮性のものを適宜組み合わせることで、本考案の伸縮自在な機能が発揮できるものである。この点、４パーツを縫い合わせることによって、もたらされる本考案における最大の特長といえる。
【００４５】
付番７は、マイクロフォンカバーのハンドル部下方の円周囲部であり、当該円周囲部分は、開放されているが、マイクロフォン機材に対する装脱着の操作をさらに簡便にするために、波状ステッチを施すのが好ましい。
上記縫製部のステッチは、カラオケの輪番時に個々人が他人のものと取り違えないようにカラーやステッチ種を変えることでコロナウィルス等の感染対策の一助となし得るものである。
【００４６】
上記の構成をとる本考案のマイクロフォンカバーについては、縫製を完了した後、抗菌処理を行う。抗菌処理は上記の銅イオン含有の水溶液を用い、これにマイクロフォンカバー全体を浸漬させる。一定時間の浸漬によって銅イオンの各繊維への浸透吸着が進行するが、銅イオンの固定が完了した後（少なくとも２４時間経過後）に乾燥し、完成品として使用に供するものである。
当該抗菌処理によって製造された本考案のマイクロフォンカバーは堅牢性の良い製品として仕上がり、使用後の洗濯によっても抗菌性が維持されていることから、繰り返し使用が可能である。使い捨てではないことから、コストパフォーマンスが良く、環境対策上も好ましいものである。
なお、本考案における抗菌処理については、本来の目的と効果を損なわない限度において公知の処理方法、例えば、抗菌消臭スプレー剤等の併用や薬剤併用は任意であり、マイクロフォンカバーを個人用として使用する場合のメンテナンスについても、同様に公知の方法を適宜利活用することは任意である。
【符号の説明】
【００４７】
１  マイクロフォンカバーの４分割パーツ集音部
２  マイクロフォンカバーの4分割パーツハンドル部
３  マイクロフォンカバーのハンドル部下方の開放部（装脱着部）
４  マイクロフォンカバーの集音部における縫製部（ステッチ）
５  マイクロフォンカバーの集音部とハンドル部の縫製部（ステッチ）
６  マイクロフォンカバーのハンドル部における縫製部（ステッチ）
７  マイクロフォンカバーのハンドル部下方の円周囲部（波状ステッチ）
【図１】
0003230745.tif 000003
【図２】
0003230745.tif 000004
【図３】
0003230745.tif 000005
【手続補正書】
【提出日】令和2年12月2日(2020.12.2)
【手続補正１】
【補正対象書類名】実用新案登録請求の範囲
【補正対象項目名】全文
【補正方法】変更
【補正の内容】
【実用新案登録請求の範囲】
【請求項１】
マイクロフォンの集音部及びハンドル部を被覆する一体型のマイクロフォンカバーであって、該マイクロフォンカバーは、集音部とハンドル部の生地構成部分の平面形状がそれぞれ、略円形状および略長方形形状である同一形状の４パーツからなるセパレート生地を用いてそれぞれ縫製され、該集音部の縫製体開放部と該ハンドル部の縫製体開放上部とが縫製されることによってカバー全体が一体構成されることを特徴とするマイクロフォンカバー。
【請求項２】
マイクロフォンカバーの集音部の縫製部の少なくとも一部及び／又はハンドル部の縫製部の少なくとも一部にカラーステッチを設けたことを特徴とする請求項１に記載のマイクロフォンカバー。
【請求項３】
マイクロフォンカバーハンドル部の下方開放部において、当該開放部円周囲を波状に縫製し、カラーステッチを設けたことを特徴とする請求項１乃至２に記載のマイクロフォンカバー。
【請求項４】
マイクロフォンカバーの集音部とハンドル部の生地パーツの縫製用の糸が伸縮性で構成されることを特徴とする請求項１乃至３に記載のマイクロフォンカバー。
【請求項５】
マイクロフォンカバーの生地として、銅イオンを利用した加工処理を施したことを特徴とする請求項１乃至４に記載のマイクロフォンカバー。